(57)【要約】【課題】取付位置を安定させることができる雨樋へのアンテナの取付構造を提供する。【解決手段】本発明の雨樋へのアンテナの取付構造は、外壁６に固定された竪樋控え具１と、前記竪樋控え具１に保持された竪樋７と、アンテナ４２を有しており且つ竪樋７に沿って取り付けられるアンテナ部材４とを備える。アンテナ部材４は取付部５を有しており、前記竪樋控え具１は、前記アンテナ部材４の前記取付部５が取り付けられる被取付部３７を有している【選択図】図１
2013067980.tif 000002
【特許請求の範囲】
【請求項１】
外壁に固定された竪樋控え具と、
前記竪樋控え具に保持された竪樋と、
アンテナを有しており且つ竪樋に沿って取り付けられるアンテナ部材と
を備え、
前記アンテナ部材は取付部を有しており、
前記竪樋控え具は、前記アンテナ部材の前記取付部が取り付けられる被取付部を有している
ことを特徴とする雨樋へのアンテナの取付構造。
【請求項２】
前記竪樋控え具に設けられた前記被取付部は、上方に開口する開口穴を有しており、
前記取付部は、下方に突出して前記開口穴に挿入される突出片を有している
ことを特徴とする請求項１記載の雨樋へのアンテナの取付構造。
【請求項３】
前記アンテナ部材の前記取付部は、上下方向に離間して複数設けられており、
この取付部は、上下方向に離間して設けられた前記竪樋控え具のそれぞれの前記被取付部に取り付けられている
ことを特徴とする請求項１又は請求項２のいずれかに記載の雨樋へのアンテナの取付構造。
【請求項４】
前記竪樋控え具は、控え具本体と、前記被取付部とが、別体である
ことを特徴とする請求項１乃至請求項３のいずれか一項に記載の雨樋へのアンテナの取付構造。
【請求項５】
前記アンテナ部材は、前記竪樋に対し、隙間を介して離間している
ことを特徴とする請求項１乃至請求項４のいずれか一項に記載の雨樋へのアンテナの取付構造。
【発明の詳細な説明】
【技術分野】
【０００１】
本発明は、竪樋に沿ってアンテナが取り付けられた雨樋へのアンテナの取付構造に関する。
【背景技術】
【０００２】
従来、竪樋に沿ってアンテナが取り付けられた雨樋へのアンテナの取付構造が知られている（例えば特許文献１参照）。
【０００３】
この特許文献１記載の雨樋へのアンテナの取付構造は、外壁に沿って取り付けられた竪樋と、この竪樋に取り付けられたアンテナとを備えている。このアンテナは、二分割された構造となっている。アンテナは、この二分割された半体同士の間に竪樋を挟み、この状態で半体同士をねじで螺合する。アンテナは、一対の半体で竪樋を両側から挟圧することで、その取り付け位置が保持されている。
【先行技術文献】
【特許文献】
【０００４】
【特許文献１】特開平０１−１６８１０１号公報
【発明の概要】
【発明が解決しようとする課題】
【０００５】
ところでこの従来の雨樋へのアンテナの取付構造は、上記のように、アンテナが、竪樋を単に両側から挟圧しただけで取付位置が保持されている。このためこの従来の構造では、例えば、アンテナが金属製の場合や、合成樹脂製であっても大きく形成されて重量が重くなった場合等には、アンテナが竪樋の外周面を滑ってずり下がる可能性がある。
【０００６】
本発明は、上記事情に鑑みてなされたものであり、その目的とするところは、取付位置を安定させることができる雨樋へのアンテナの取付構造を提供することにある。
【課題を解決するための手段】
【０００７】
本発明の雨樋へのアンテナの取付構造は、外壁に固定された竪樋控え具と、前記竪樋控え具に保持された竪樋と、アンテナを有しており且つ竪樋に沿って取り付けられるアンテナ部材とを備え、前記アンテナ部材は取付部を有しており、前記竪樋控え具は、前記アンテナ部材の前記取付部が取り付けられる被取付部を有していることを特徴とする。
【０００８】
またこの雨樋へのアンテナの取付構造において、前記竪樋用控え具に設けられた前記被取付部は、上方に開口する開口穴を有しており、前記取付部は、下方に突出して前記開口穴に挿入される突出片を有していることが好ましい。
【０００９】
またこの雨樋へのアンテナの取付構造において、前記アンテナ部材の取付部は、上下方向に離間して複数設けられており、この取付部は、上下方向に離間して設けられた前記竪樋控え具のそれぞれの前記被取付部に取り付けられていることが好ましい。
【００１０】
またこの雨樋へのアンテナの取付構造において、前記竪樋控え具は、控え具本体と、前記被取付部とが、別体であることが好ましい。
【００１１】
またこの雨樋へのアンテナの取付構造において、前記アンテナ部材は、前記竪樋に対し、隙間を介して離間していることが好ましい。
【発明の効果】
【００１２】
本発明のアンテナの取付構造によれば、取付位置を安定させることができる。
【図面の簡単な説明】
【００１３】
【図１】実施形態１の雨樋へのアンテナの取付構造の要部斜視図である。
【図２】実施形態１の雨樋へのアンテナの取付構造における竪樋に、アンテナ部材が取り付けられる前の状態の斜視図である。
【図３】図２における水平断面図である。
【図４】実施形態１の雨樋へのアンテナの取付構造のアンテナ部材を背面から見た斜視図である。
【図５】実施形態２の雨樋へのアンテナの取付構造の水平断面図である。
【図６】（ａ）（ｂ）は、実施形態２の雨樋へのアンテナの取付構造の外壁を省略した斜視図である。
【図７】実施形態２におけるアンテナ収納体へ取付部を取り付ける点を説明する分解斜視図である。
【発明を実施するための形態】
【００１４】
以下、本発明の実施形態について添付図面に基づいて説明する。
【００１５】
本実施形態の雨樋へのアンテナの取付構造（以下、アンテナの取付構造という）は、図３に示されるように、外壁６に取り付けられた竪樋控え具１と、この竪樋控え具１に保持された竪樋７と、この竪樋７に沿って取り付けられたアンテナ部材４とを備えている。なお便宜上、竪樋７から見て外壁６側を後方とし、その反対側を前方として説明する。
【００１６】
竪樋控え具１は、竪樋７を外壁６に沿って保持する。竪樋控え具１は、図１に示されるように、控え具本体２と、控え具本体２に取り付けられた被取付部３とを備えている。竪樋控え具１は、控え具本体２と被取付部３とが、別体で構成されており、両者は一体成形されたものではない。言い換えると竪樋控え具１は、被取付部３が、控え具本体２に、後付け的に装着されるものである。
【００１７】
控え具本体２は、図２，３に示されるように、竪樋７を保持する樋保持部２１と、この樋保持部２１の後方から外壁６側に向けて突出した壁固定部２４とを備えている。本実施形態の樋保持部２１と壁固定部２４とは、合成樹脂により成形されており、例えば射出成形や注型成形などにより一体成形されている。
【００１８】
なお、この樋保持部２１と壁固定部２４とは一体成形されていなくてもよい。また例えば、樋保持部２１が合成樹脂により成形され、壁固定部２４が金属により形成されてもよい。
【００１９】
樋保持部２１は竪樋７を抱持する。樋保持部２１は、竪樋７の外側面に、周方向の略全周に亘って当接することで、竪樋７の前後左右への倒れ止めをする。本実施形態の樋保持部２１は、図３に示されるように、壁固定部２４が設けられる第１部材２２と、この第１部材２２に回動自在に連結された第２部材２３とを備えている。第２部材２３は、平面視略Ｃ字状に形成されており、第一端が第１部材２２の第一端に回動自在に連結され、第一端部とは反対側の第二端が、第１部材２２の第二端に着脱自在に係止される。樋保持部２１は、第１部材２２と第２部材２３とを連結すると、平面視環状に形成される。
【００２０】
樋保持部２１は、竪樋７の断面形状に合わせて形成される。樋保持部２１は、例えば、竪樋７が断面円形の場合、平面視円形状に形成される。また樋保持部２１は、例えば、竪樋７が断面略矩形状（略正方形状も含む）の場合、平面視略矩形状に形成される。
【００２１】
壁固定部２４は、外壁６と樋保持部２１とを連結し、これにより樋保持部２１を外壁６に固定する。壁固定部２４は、外壁６に取り付けるために略Ｔ字状に形成されている。この壁固定部２４は、図２に示されるように、壁固定部２４を外壁６に固定するための固着具を挿通するための固着具挿通孔２５が穿設されている。
【００２２】
なお壁固定部２４は、先端が釘状に形成された釘状部により構成されたものであってもよい（図６参照）。この場合、釘状部は外壁６に直接打入される。
【００２３】
本実施形態の樋保持部２１は、図１に示されるように、被取付部３を取り付けるための装着部２６が設けられている。本実施形態の装着部２６は、樋保持部２１の前端（つまり、外壁６とは反対側の端部）に設けられている。本実施形態の装着部２６は、前記樋保持部２１における被取付部３が装着される部位である。装着部２６は、例えば、接着剤の塗布面であってもよいし、樋保持部２１の厚み方向に貫通した取付孔（図示せず）が穿孔されていてもよい。
【００２４】
被取付部３は、樋保持部２１の装着部２６に固定される。被取付部３は、上方に開口する開口穴３１と下方に開口する開口穴３２と、上下の開口穴３１，３２同士を連通する貫通路３３とを有している。言い換えると本実施形態の被取付部３は、上下方向に開口する貫通孔により構成されている。また被取付部３は、下方に開口する開口穴３２の周縁が、後述のアンテナ部材４の係止片５３が係止される被係止部３７となっている。
【００２５】
被取付部３は、樋保持部２１に当接する部位に、樋保持部２１の装着部２６に固定される取着部３４を有している。本実施形態の取着部３４は、竪樋７側に突出して樋保持部２１の上面に当接する上縁部３５と、竪樋７側に突出して樋保持部２１の下面に当接する下縁部３６とを備えている。また取着部３４は、上縁部３５と下縁部３６との間に位置して樋保持部２１の表面に当接する当接面（図示せず）を有している。上縁部３５と下縁部３６との間の対向間の寸法は、樋保持部２１の上下方向の幅と略同じ寸法に形成されている。取着部３４は、上縁部３５と下縁部３６とで、樋保持部２１が嵌合して圧接されるよう構成されている。
【００２６】
なお取着部３４は、樋保持部２１に取付孔が設けられている場合、この取付孔に嵌入する嵌合突起（図示せず）が設けられてもよい。
【００２７】
被取付部３は、樋保持部２１に対し、着脱自在に取り付けられてもよいし、接着剤や溶着などにより固定されもよい。本実施形態の被取付部３は、取着部３４の当接面と樋保持部２１との接触部分に、接着剤が塗布されて強固に固定される。
【００２８】
また被取付部３は、樋保持部２１の前端に取り付けられたものでなくてもよく、樋保持部２１の前端から周方向にずれた位置に取り付けられていてもよい。例えば、被取付部３は、樋保持部２１の前端から左右のいずれかに６０°程ずれた箇所に取り付けられてもよい。また、被取付部３は、樋保持部２１の周方向に移動自在に設けられていてもよい。
【００２９】
アンテナ部材４は、竪樋７に沿って取り付けられている。アンテナ部材４は、テレビ等の電波を送受信可能なアンテナ４２を有している。本実施形態のアンテナ部材４は、図２に示されるように、断面半円弧状に形成されている。アンテナ部材４は、上下方向に長く形成されており、その長手方向と竪樋７の長手方向とが、略平行となるよう配置されている。
【００３０】
アンテナ部材４は、外形を形成する合成樹脂部４１と、この合成樹脂部４１の肉厚内に埋設又は合成樹脂部４１の竪樋７側の面に積層されたアンテナ４２とを備えている。本実施形態のアンテナ４２は、金属薄板４３により構成されている。金属薄板４３は、導電性の縦長矩形状の薄い金属板材又は金属箔により構成される。アンテナ４２は、合成樹脂部４１に沿った形状となっており、平面視略Ｃ字状に湾曲しており、長手方向に一様に形成されている。
【００３１】
アンテナ４２は、上下方向に複数のスロット４４が形成されたスロットアンテナ４２０により構成されている。アンテナ４２は、このスロット４４が上下方向に複数並設されており（本実施形態では２箇所）、隣接するスロット４４同士がスリット状の細溝４５で接続されている。アンテナ４２は、各スロット４４が周方向の一部に位置している。各スロット４４は、金属薄板４３の厚み方向に貫通する開口により構成されており、一対の三角形の頂点同士を互いに突き合わせたようなボウタイ形状に形成されている。各スロット４４は、上下方向の略中央部分に給電部４６を有している。本実施形態の給電部４６は、周方向に対向する三角状片４７の頂点部分により構成されている。
【００３２】
なお給電部４６には、同軸ケーブル（図示せず）が電気的に接続される。同軸ケーブルは、中央の線が一方の三角状片４７に接続され且つ外側の網線が他方の三角状片４７に接続される。同軸ケーブルは、アンテナ４２により受信した電波を、室内側のテレビ等に送るための伝送路となる。
【００３３】
本実施形態のアンテナ４２は、第一の周波数帯（例えば４７３〜６００ＭＨｚ）の電波を受信する第一の受信部４８と、第二の周波数帯（例えば６００〜７２０ＭＨｚ）の電波を受信する第二の受信部４９とを有している。
【００３４】
第一の受信部４８は、スロット４４及び当該スロット４４の開口周縁部により構成される。第二の受信部４９は、このスロット４４に上下方向に隣接する周方向に連続した金属薄板４３により構成される。
【００３５】
第一の受信部４８を構成するスロット４４の上下方向の長さは、前記第一の周波数帯内の電波の電気的な半波長の長さに応じて決定される。また、第二の受信部４９の周方向の長さは、前記第二の周波数帯内の電波の電気的な半波長の長さに応じて決定される。
【００３６】
このアンテナ４２は、金属薄板４３が非導電性の保護シートで覆われたものであってもよいし、金属薄板４３が単独で使用されたものであってもよい。保護シートで覆われたアンテナ４２は、金属薄板４３に発生する錆を抑制する。
【００３７】
アンテナ部材４は、図４に示されるように、竪樋控え具１の被取付部３に取り付けられる取付部５を有している。取付部５は、合成樹脂部４１の裏側（アンテナ部材４の竪樋控え具１に対向する側の面）に設けられている。言い換えると取付部５は、アンテナ部材４の裏面に設けられている。
【００３８】
取付部５は、図１に示されるように合成樹脂部４１の裏面から後方に向けて突設された横片５１と、この横片５１の後端から下方に向けて突出した突出片５２と、この突出片５２の下端に設けられた係止片５３とを備えている。突出片５２は、竪樋控え具１の被取付部３の上方に開口する開口穴３１に挿入される。取付部５は、突出片５２が、上方に開口する開口穴３１に挿入されると、係止片５３が、下方に開口する開口穴３２の周縁部の被係止部３７に係止される。また取付部５は、竪樋控え具１の被取付部３に取り付けられると、横片５１が、被取付部３の上端面に当接するよう構成されている。
【００３９】
取付部５は、図２に示されるように、上下方向に長いアンテナ部材４の長手方向に離間するよう複数箇所に設けられている（本実施形態では２箇所）。この複数の取付部５は、上下方向の取付ピッチが、外壁６に固定された竪樋控え具１の取付ピッチに対応するよう設けられている。
【００４０】
このような構成のアンテナ部材４は、外壁６に沿って取り付けられた竪樋７に沿って設置される。
【００４１】
施工者は、竪樋控え具１を、上下方向に所定の寸法離間した状態で外壁６に固定する。このとき施工者は、竪樋控え具１を、竪樋７の中心線上に並ぶよう配置する。次いで、施工者は、竪樋控え具１に竪樋７を保持させる（図２参照）。
【００４２】
次に施工者は、アンテナ部材４を竪樋７に沿って設置する。施工者はアンテナ部材４の裏側に設けられた取付部５を、竪樋控え具１の被取付部３に取り付け、これによりアンテナ部材４を設置する。このとき施工者は、アンテナ部材４の取付部５の下方に突出する突出片５２を、被取付部３の上方に開口する開口穴３１に挿入する。するとアンテナ部材４の自重により、突出片５２の下端の係止片５３が、竪樋控え具１の下方に開口する開口穴３２の周縁部の被係止部３７に係止する（図１，３参照）。
【００４３】
なお本実施形態のアンテナ部材４は、上下方向に離間して複数箇所に取付部５が設けられているため、施工者は、各取付部５の突出片５２を、上下方向に離間した竪樋控え具１のそれぞれの開口穴３１に、ほぼ同時に挿入する必要がある。
【００４４】
本実施形態のアンテナの取付構造は、アンテナ部材４の取付部５が竪樋控え具１の被取付部３に取り付けられると、アンテナ部材４の取付部５の横片５１が、被取付部３の上端面に当接する。これによりアンテナ部材４は、竪樋控え具１に支持される。また本実施形態のアンテナの取付構造は、アンテナ部材４が竪樋控え具１に取り付けられると、アンテナ部材４の竪樋７側の面と竪樋７の外周面とが、一定の隙間を介して離間する。すなわち本実施形態では、取付部５と被取付部３とが、アンテナ４２と竪樋７との間に隙間を形成する隙間形成部材を構成する。
【００４５】
このような構成の本実施形態のアンテナの取付構造は、アンテナ部材４が、外壁６に固定された竪樋控え具１の被取付部３に取り付けられる構造であるため、アンテナ部材４の取付位置が自重等で下方にずれるのを防ぐことができる。これにより本実施形態のアンテナの取付構造は、アンテナ部材４を安定して取り付けることができる。
【００４６】
また本実施形態のアンテナの取付構造は、竪樋控え具１の被取付部３が上方に開口する開口穴３１を有しており、アンテナ部材４の取付部５が、下方に突出して前記開口穴３１に挿入される突出片５２を有している。このため、開口穴３１に突出片５２を上方から挿入するという簡単な作業で、取付施工を行なうことができる。
【００４７】
また本実施形態のアンテナの取付構造は、突出片５２の下端に係止片５３を有しており、被係止部３７と係止片５２とが係止しているため、何らかの外力が下方から上方に向けて付与されたとしても、アンテナ部材４は抜け止めされる。これによりアンテナ部材４が落下してしまうのを防ぐことができる。
【００４８】
また本実施形態のアンテナの取付構造は、上下方向に離間して設けられた竪樋控え具１のそれぞれの被取付部３に、アンテナ部材４の各取付部５が取り付けられている。このため、アンテナ部材４の取り付け状態が安定し、しかも鉛直状態を保持することができる。これにより、アンテナ部材４が傾いてしまってアンテナ４２の受信性能に悪影響が生じる、といったような事態を防ぐことができる。
【００４９】
また本実施形態のアンテナの取付構造は、アンテナ部材４が竪樋７に対し、隙間を介して離間しているため、竪樋７内を流下する雨水と、アンテナ４２との間に一定の隙間を介在させることができる。これにより、アンテナ４２と雨水とが近接することで生じるアンテナ性能への悪影響を防ぐことができる。
【００５０】
また本実施形態のアンテナの取付構造は、竪樋控え具１が、控え具本体２と被取付部３とが別体の構造であるため、既存の竪樋控え具１に対して、後付け的に取り付けるようなことが可能となる。つまり本実施形態の竪樋用アンテナ４２の取付構造は、新築の建物に対して、適用することも可能であるし、既に建設されたいわゆる中古の建物に対しても適用することが可能である。
【００５１】
次に、実施形態２について図５〜７に基づいて説明する。なお、本実施形態は実施形態１と大部分において同じであるため、同じ部分においては同符号を付して説明を省略し、主に異なる部分について説明する。
【００５２】
本実施形態の雨樋へのアンテナの取付構造は、アンテナ部材８が箱型に形成された点で、実施形態１とは異なっており、その他の構造は実施形態１とほぼ同じである。
【００５３】
本実施形態のアンテナ部材８は、箱型形状のアンテナ収納体８１と、アンテナ収納体８１の中に収容されたアンテナ８２と、このアンテナ収納体８１の竪樋７側の面に固定された取付部８３とを備えている。
【００５４】
アンテナ収納体８１は、箱型形状に形成されて、アンテナ８２が収容されるアンテナ収容部（図示せず）を内部に有している。アンテナ８２は、アンテナ収納体８１内に設けられて、テレビ等の電波の送受信を行なう。
【００５５】
アンテナ部材８は、アンテナ収納体８１の側面に取付部８３が設けられている。この取付部８３は、図７に示されるように、アンテナ収納体８１の側面に、ボルト９０及びナット９１を介して取り付けられている。取付部８３は、アンテナ収納体８１に取り付けるための固着部８４と、この固着部８４から竪樋７側に向けて突出した横片５１と、横片５１の突出端部から下方に向けて突出した突出片５２と、この突出片５２の下端に設けられた係止片５３とを備えている。なお、横片５１と突出片５２と係止片５３とは、実施形態１と同様の構成であるため、説明は省略する。
【００５６】
固着部８４は、ボルトを挿通するための固着具挿通孔８５が穿設されている。固着部８４は、板状に形成されており、アンテナ収納体８１の側面に当接される。固着部８４は、アンテナ収納体８１の側面に当接した状態で、アンテナ収納体８１内に配置固定されたナット９１に、外方からボルト９０が螺合されることで、アンテナ収納体８１の側面に固定される。
【００５７】
なお、固着部８４の固着具挿通孔８５に挿通されるボルト９０は、アンテナ収納体８１の側面にタップ孔を設け、このタップ孔に直接螺合されてもよい。
【００５８】
このように本実施形態のアンテナの取付構造は、箱形状のアンテナ部材８を、実施形態１と同様、竪樋控え具１に取り付ける構造であるため、自重等によりアンテナ部材８が下方にずれてしまうのを防ぐことができる。また、下方に突出する突出片５２を、上方に開口する開口穴３１に挿入して取り付ける構造であるため、施工者は容易に取り付けることができる。
【００５９】
また実施形態１，２のアンテナ部材は、断面半円弧状のアンテナ部材４や、箱型形状のアンテナ部材８であったが、本発明の雨樋へのアンテナの取付構造においては、実施形態１，２のアンテナ部材４，８に限定されない。すなわち本発明においては、例えば、市販の壁面設置型のアンテナに、実施形態１，２の取付部５，８３を取り付け、このアンテナを被取付部３が設けられた竪樋控え具１に固定してもよい。
【００６０】
なお、実施形態１，２のアンテナの取付構造は、控え具本体２と被取付部３とが別体の構造となっていたが、本発明においては、これらは必ずしも別体である必要はない。言い換えると本発明に用いられる竪樋控え具は、被取付部が控え具本体に一体成形されたものであってもよい。
【００６１】
また実施形態１，２の雨樋へのアンテナの取付構造は、竪樋７が、断面円形状の丸樋により構成されていたが、本発明のアンテナの取付構造においては、竪樋が、断面多角形の角樋により構成されていてもよい。
【符号の説明】
【００６２】
１      竪樋控え具
２      控え具本体
２１    樋保持部
２４    壁固定部
２６    装着部
３      被取付部
３１    開口穴（上方）
３２    開口穴（下方）
３３    貫通路
３４    取着部
３５    上縁部
３６    下縁部
３７    被係止部
４      アンテナ部材
４１    合成樹脂部
４２    アンテナ
４２０  スロットアンテナ
５      取付部
５１    横片
５２    突出片
５３    係止片
６      外壁
７      竪樋
【図１】
2013067980.tif 000003
【図２】
2013067980.tif 000004
【図３】
2013067980.tif 000005
【図４】
2013067980.tif 000006
【図５】
2013067980.tif 000007
【図６】
2013067980.tif 000008
【図７】
2013067980.tif 000009